(57)【要約】      （修正有）【課題】ハイブリッドセル滞留方法、アクセスレベル検査方法及び設備を提供する。【解決手段】ユーザ設備の契約特性及びハイブリッドセル基地局のアクセス制限情報に基づいてユーザ設備の滞留権限及びアクセスレベル検査の通過確率を調整することにより、契約ユーザのサービスを優先的に保証すると共に、非契約ユーザの初期アクセス遅延を軽減して非契約ユーザの初期アクセス効率を向上しており、ネットワーク資源及びユーザ設備の電気エネルギーの節約も実現している。【選択図】図２
2011041281.tif 000002
【特許請求の範囲】
【請求項１】
ハイブリッドセルのアクセスレベル検査方法であって、以下のステップＡとステップＢとを含み、
ステップＡにおいて、ユーザ設備は、一回のアクセスレベル検査において、ハイブリッドセル基地局が放送するアクセス制限情報を取得し、前記アクセス制限情報は、前記ハイブリッドセル基地局が所定のアクセス制限条件に基づいて設定した、アクセスを制限するか否かを前記ハイブリッドセル基地局に指示するための情報であり、
ステップＢにおいて、前記ユーザ設備は、予め取得した前記ハイブリッドセルのＣＳＧ標識と、自身で保持する自ユーザ設備が所属するＣＳＧセルホワイトリストとに基づいて、自ユーザ設備が前記ハイブリッドセルの契約ユーザであるか否かを判断し、前記アクセス制限情報に基づいて、前記ハイブリッドセル基地局がアクセスを制限するか否かを判断し、
自ユーザ設備が前記契約ユーザであり、且つ前記ハイブリッドセル基地局がアクセスを制限しない場合、第１の確率で今回のアクセスレベル検査を通過し、
自ユーザ設備が前記契約ユーザであり、且つ前記ハイブリッドセル基地局がアクセスを制限する場合、第２の確率で今回のアクセスレベル検査を通過し、
自ユーザ設備が前記契約ユーザではなく、且つ前記ハイブリッドセル基地局がアクセスを制限しない場合、第３の確率で今回のアクセスレベル検査を通過し、
自ユーザ設備が前記契約ユーザではなく、且つ前記ハイブリッドセル基地局がアクセスを制限する場合、第４の確率で今回のアクセスレベル検査を通過し、
前記第２、第３の確率は共に前記第４の確率より大きく且つ前記第１の確率より小さいことを特徴とするアクセスレベル検査方法。
【請求項２】
前記ステップＡにおいて、前記ユーザ設備は更に前記ハイブリッドセル基地局が放送するアクセスレベル遮断パラメータａ（０≦ａ≦１）を取得して乱数ｂ（０≦ｂ≦１）を生成し、
前記ステップＢにおいて、
自ユーザ設備が前記契約ユーザであり、且つ前記ハイブリッドセル基地局がアクセスを制限しない場合、直接今回のアクセスレベル検査を通過し、
自ユーザ設備が前記契約ユーザであり、且つ前記ハイブリッドセル基地局がアクセスを制限する場合、前記ｂが前記ａより小さいか否かに基づいて、今回のアクセスレベル検査を通過するか否かを判断し、
自ユーザ設備が前記契約ユーザではなく、且つ前記ハイブリッドセル基地局がアクセスを制限しない場合、前記ｂが前記ａより小さいか否かに基づいて、今回のアクセスレベル検査を通過するか否かを判断し、
自ユーザ設備が前記契約ユーザではなく、且つ前記ハイブリッドセル基地局がアクセスを制限する場合、今回のアクセスレベル検査の通過を拒否してアクセスレベル検査を終止し、前記ハイブリッドセル以外の他のセルを検索して前記他のセルに対してランダム的にアクセスすることを特徴とする請求項１に記載のアクセスレベル検査方法。
【請求項３】
前記ユーザ設備が今回のアクセスレベル検査を通過しない場合、前記アクセスレベル検査を通過し又は前記アクセスレベル検査の実行回数が所定の上限値になるまで、引き続き次のアクセスレベル検査を実行することを特徴とする請求項１に記載のアクセスレベル検査方法。
【請求項４】
前記アクセス制限情報は、前記ハイブリッドセル基地局が放送するシステム情報ブロックＳＩＢ２の中の一つの自定義ビットに付随することを特徴とする請求項１に記載のアクセスレベル検査方法。
【請求項５】
ユーザ設備であって、以下のパラメータ取得手段とアクセスレベル検査手段とを含み、
パラメータ取得手段は、ハイブリッドセル基地局が放送する前記ハイブリッドセル基地局のアクセス制限情報を取得し、前記アクセス制限情報は、前記ハイブリッドセル基地局が所定のアクセス制限条件に基づいて設定した、アクセスを制限するか否かを前記ハイブリッドセル基地局に指示するための情報であり、
アクセスレベル検査手段は、一回のアクセスレベル検査において、前記アクセス制限情報に基づいて、前記ハイブリッドセル基地局がアクセスを制限するか否かを判断し、予め取得した前記ハイブリッドセルのＣＳＧ標識と、自身で保持する自ユーザ設備が所属するＣＳＧセルホワイトリストとに基づいて、自ユーザ設備が前記ハイブリッドセルの契約ユーザであるか否かを判断し、
自ユーザ設備が前記契約ユーザであり、且つ前記ハイブリッドセル基地局がアクセスを制限しない場合、第１の確率で今回のアクセスレベル検査を通過し、
自ユーザ設備が前記契約ユーザであり、且つ前記ハイブリッドセル基地局がアクセスを制限する場合、第２の確率で今回のアクセスレベル検査を通過し、
自ユーザ設備が前記契約ユーザではなく、且つ前記ハイブリッドセル基地局がアクセスを制限しない場合、第３の確率で今回のアクセスレベル検査を通過し、
自ユーザ設備が前記契約ユーザではなく、且つ前記ハイブリッドセル基地局がアクセスを制限する場合、第４の確率で今回のアクセスレベル検査を通過し、
前記第２、第３の確率は共に前記第４の確率より大きく且つ前記第１の確率より小さいことを特徴とするユーザ設備。
【請求項６】
前記パラメータ取得手段は、更に前記ハイブリッドセル基地局が放送するアクセスレベル遮断パラメータａ（０≦ａ≦１）を取得して乱数ｂ（０≦ｂ≦１）を生成し、
前記アクセスレベル検査手段は、更に、
自ユーザ設備が前記契約ユーザであり、且つ前記ハイブリッドセル基地局がアクセスを制限しない場合、直接今回のアクセスレベル検査を通過し、
自ユーザ設備が前記契約ユーザであり、且つ前記ハイブリッドセル基地局がアクセスを制限する場合、前記ｂが前記ａより小さいか否かに基づいて、今回のアクセスレベル検査を通過するか否かを判断し、
自ユーザ設備が前記契約ユーザではなく、且つ前記ハイブリッドセル基地局がアクセスを制限しない場合、前記ｂが前記ａより小さいか否かに基づいて、今回のアクセスレベル検査を通過するか否かを判断し、
自ユーザ設備が前記契約ユーザではなく、且つ前記ハイブリッドセル基地局がアクセスを制限する場合、今回のアクセスレベル検査の通過を拒否してアクセスレベル検査を終止し、前記ハイブリッドセル以外の他のセルを検索して前記他のセルに対してランダム的にアクセスすることを特徴とする請求項５に記載のユーザ設備。
【請求項７】
ハイブリッドセル滞留方法において、
ユーザ設備は、ハイブリッドセル基地局が放送する前記ハイブリッドセル基地局のアクセス制限情報及び前記ハイブリッドセルのＣＳＧ標識を取得し、前記アクセス制限情報は、前記ハイブリッドセル基地局が所定のアクセス制限条件に基づいて設定した、アクセスを制限するか否かを前記ハイブリッドセル基地局に指示するための情報であり、
前記ユーザ設備は、前記ハイブリッドセルのＣＳＧ標識と、自身で保持する自ユーザ設備が所属するＣＳＧセルホワイトリストとに基づいて、自ユーザ設備が前記ハイブリッドセルの契約ユーザであるか否かを判断し、
契約ユーザであると判断された場合、前記ハイブリッドセルに滞留し、
契約ユーザではないと判断された場合、前記アクセス制限情報に基づいて、前記ハイブリッドセル基地局がアクセスを制限するか否かを判断し、制限すると判断された場合、前記ハイブリッドセル以外の他のセルを検索して滞留し、制限しないと判断された場合、前記ハイブリッドセルに滞留することを特徴とする滞留方法。
【請求項８】
前記ハイブリッドセル基地局がアクセスを制限することを前記アクセス制限情報に基づいて判断された後、前記ユーザ設備は、前記ハイブリッドセル以外に滞留可能なセルを検索できなかった場合、前記ハイブリッドセルに滞留することを特徴とする請求項７に記載の滞留方法。
【請求項９】
前記アクセス制限情報は、前記ハイブリッドセル基地局が放送するシステム情報ブロックＳＩＢ１の中のＣＳＧ指示ビットに付随するか、前記ＳＩＢ１の中の一つの自定義ビットに付随することを特徴とする請求項７又は８に記載の滞留方法。
【請求項１０】
ユーザ設備において、以下の受信手段と滞留処理手段とを含み、
受信手段は、ハイブリッドセル基地局が放送する前記ハイブリッドセル基地局のアクセス制限情報及びハイブリッドセルのＣＳＧ標識を取得し、前記アクセス制限情報は、前記ハイブリッドセル基地局が所定のアクセス制限条件に基づいて設定した、アクセスを制限するか否かを前記ハイブリッドセル基地局に指示するための情報であり、
滞留処理手段は、前記ハイブリッドセルのＣＳＧ標識と、自身で保持する自ユーザ設備が所属するＣＳＧセルホワイトリストとに基づいて、自ユーザ設備が前記ハイブリッドセルの契約ユーザであるか否かを判断し、
契約ユーザであると判断された場合、前記ハイブリッドセルに滞留し、
契約ユーザではないと判断された場合、前記アクセス制限情報に基づいて、前記ハイブリッドセル基地局がアクセスを制限するか否かを判断し、制限すると判断された場合、前記ハイブリッドセル以外の他のセルを検索して滞留し、制限しないと判断された場合、前記ハイブリッドセルに滞留することを特徴とするユーザ設備。
【請求項１１】
前記滞留処理手段は、前記ハイブリッドセル基地局がアクセスを制限することを前記アクセス制限情報に基づいて判断された後、前記ユーザ設備が、前記ハイブリッドセル以外に滞留可能なセルを検索できなかった場合、前記ハイブリッドセルに滞留するように用いられることを特徴とする請求項１０に記載のユーザ設備。
【請求項１２】
ハイブリッドセル基地局において、以下のアクセス制限情報設定手段と放送手段とを含み、
アクセス制限情報設定手段は、所定のアクセス制限情報に基づいて、アクセスを制限するか否かを前記ハイブリッドセル基地局に指示するためのアクセス制限情報を設定し、
放送手段は、前記アクセス制限情報とハイブリッドセルのＣＳＧ標識を放送し、
前記アクセス制限情報とハイブリッドセルのＣＳＧ標識は、前記ハイブリッドセル基地局がアクセスを制限するか否かの判断、及び前記ユーザ設備が前記ハイブリッドセルの契約ユーザであるかの判断を行なうようユーザ設備に供するものであり、前記ユーザ設備が前記契約ユーザである場合、前記ハイブリッドセルに滞留し、前記ユーザ設備が前記契約ユーザではなく、且つ前記ハイブリッドセル基地局がアクセスを制限する場合、前記ハイブリッドセル以外の他のセルを検索して滞留し、前記ユーザ設備が前記契約ユーザではなく、且つ前記ハイブリッドセル基地局がアクセスを制限しない場合、前記ハイブリッドセルに滞留することを特徴とするハイブリッドセル基地局。
【請求項１３】
前記放送手段は、システム情報ブロックＳＩＢ１の中のＣＳＧ指示ビット、又は前記ＳＩＢ１の中の一つの自定義ビットに前記アクセス制限情報を付随させることを特徴とする請求項１２に記載のハイブリッドセル基地局。
【発明の詳細な説明】
【技術分野】
【０００１】
本発明は、移動通信システムにおけるハイブリッドセル（Ｈｙｂｒｉｄ  Ｃｅｌｌ）に関し、特に、ハイブリッドセル滞留方法、アクセスレベル検査方法、ハイブリッドセル基地局及びユーザ設備ＵＥ（Ｕｓｅｒ  Ｅｑｕｉｐｍｅｎｔ）に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）は移動通信分野の重要な組織として、３Ｇ（Ｔｈｅ  Ｔｈｉｒｄ  Ｇｅｎｅｒａｔｉｏｎ）技術の基準化プロセスを大きく推進し、一連の通信システム基準を制定している。ブロードバンドアクセス技術の挑戦に応対し、日増しに増加する新型サービスの需要を満足するために、３ＧＰＰは２００４年末に３Ｇ  ＬＴＥ（Ｌｏｎｇ  Ｔｅｒｍ  Ｅｖｏｌｕｔｉｏｎ）技術の基準化を開始し、それにより周波数スペクトル効率を更に向上し、セル境界ユーザの性能を改善し、システム遅延を低下し、高速移動ユーザに対してより高速のアクセスサービスを提供することなどを図る。異なった設備メーカーによる非標準的な解決方案で市場を分散させ、ＨｅＮＢ（Ｈｏｍｅ  Ｅｖｏｌｖｅｄ  ＮｏｄｅＢ）に対して複数メーカーが供給できる環境を保障するために、３ＧＰＰは２００７年３月のＴＳＧＲＡＮ＃３５回全体大会でＳＩ（Ｓｔｕｄｙｉｔｅｍ）：Ｓｔｕｄｙ  ｏｎ  Ｈｏｍｅ  ＮｏｄｅＢ／ｅＮｏｄｅＢを開始し、ＨｅＮＢの典型的な応用状況に応じて基準化した解決方案を形成することを目的とする。該ＳＩはＲＡＮ２、ＲＡＮ３、ＲＡＮ４の三つのグループで分担し、それぞれＨｅＮＢストラクチャー、移動性、アクセス制御、無線ＲＦの面で実行可能性研究を行なう。世界的に３Ｇ市場の発展やユーザ規模の拡大につれ、ネットワークプロバイダーは、家庭環境において低コストで高速データサービスを提供することを要求し、ＨｅＮＢという新しい３Ｇ製品に注目している。
【０００３】
ＨｅＮＢが家庭、小企業のような応用情況に向けるため、ＨｅＮＢ設備はユーザが所用する可能性があり、そして、ＨｅＮＢシステムに対して、ユーザの身分に応じてサービスを提供するか否かを決定し、即ちアクセス制御機能を有することが要求される。例えば、ユーザは、ＨｅＮＢを自宅に装備することをプロバイダーと契約を交わし、家族の人と複数の特定した来訪者にのみサービスを提供することをＨｅＮＢに期待する。このようなＨｅＮＢへの要求に対して、３ＧＰＰはＲｅｌｅａｓｅ８バージョンにおいてＣＳＧ（Ｃｌｏｓｅ  Ｓｕｂｓｃｒｉｂｅｒ  Ｇｒｏｕｐ）という概念を採用してアクセス制御を行なうことを提案している。ＣＳＧとは、一又は複数の特定したＨｅＮＢセルの複数契約ユーザからのアクセスを許可することである。ここで、一又は複数の特定したＨｅＮＢセルにユーザがアクセスするときに、制限があり、条件が課されている。同一ＵＥは複数のＣＳＧに所属することができ、各ＣＳＧは一つのＣＳＧ  ＩＤで標識される。ＵＥは所属するＣＳＧのＣＳＧ  ＩＤホワイトリスト（許可ＣＳＧ  ＩＤホワイトリスト）を保持し、該ホワイトリスト以外の他のＣＳＧ  ＩＤに対応するＣＳＧセルは、該ＵＥにとってアクセス不可のものである。各ＣＳＧセルは自セルのＣＳＧ  ＩＤを放送し、該ＣＳＧ  ＩＤにより標識されるＣＳＧのメンバーが該セルにアクセスできる。
【０００４】
ＣＳＧのメンバーによるＣＳＧセルへのアクセス制御をより便利に行なわせるために、ＣＳＧセルは、同期チャネルと放送情報において自身のアクセス特性について標識を行なう必要がある。定義済みのＲｅｌｅａｓｅ８バージョンにおいて、下記のような定義をされている。
【０００５】
ＰＣＩ  ｓｐｌｉｔ（Ｐｈｙｓｉｃａｌ  Ｃｅｌｌ  Ｉｄｅｎｔｉｆｉｃａｔｉｏｎ  Ｓｐｌｉｔ）：
ＰＣＩ（Ｐｈｙｓｉｃａｌ  Ｃｅｌｌ  Ｉｄｅｎｔｉｆｉｃａｔｉｏｎ）は、セル同期に用いられるシーケンスであり、基地局により下り同期チャネル（Ｓｙｎｃｈｒｏｎｉｚａｔｉｏｎ  Ｃｈａｎｎｅｌ）において送信される。各セルには一つのＰＣＩがあり、ユーザがセル検索を行なう際にまずＰＣＩを検索して取得し、それを介してセルとの下り同期を実現する。ユーザがセル検索段階にＣＳＧセルを初期的に識別できるようにするために、Ｒｅｌｅａｓｅ８では、ＣＳＧセルに特別で一部のＰＣＩであるＰＣＩ  ｓｐｌｉｔを分割しており、例えば０〜５０のように、ＰＣＩの範囲として定義されている。一つのセルがＣＳＧセルである場合、該範囲内のＰＣＩを使用するが、逆の場合、該範囲外のＰＣＩを使用する。
【０００６】
ＣＳＧ指示（Ｉｎｄｉｃａｔｏｒ）ビット：
該指示は、１ビットの情報を含み、放送情報のシステム情報ブロックＳＩＢ（Ｓｙｓｔｅｍ  Ｉｎｆｏｒｍａｔｉｏｎ  Ｂｌｏｃｋ）１にあり、該セルがＣＳＧセルであるか否かを指示する。ユーザが該部分の情報を読み取ったときに、その値がＴＲＵＥである場合、該セルがＣＳＧセルであることを示し、その値がＦＡＬＳＥである場合、該セルが一般的なセルであることを示す。
【０００７】
ＣＳＧ  ＩＤ（Ｉｄｅｎｔｉｆｉｃａｔｉｏｎ）：
Ｒｅｌｅａｓｅ８の議論結果によれば、該ＩＤは２７ビットを含み、同様にＳＩＢ１にあり、一つのＣＳＧセルを一義的に標識する。前述のように、一ユーザがＣＳＧセルカバレッジ内に移動した場合、同期処理及びＣＳＧ指示ビット取得を経て、現在のセルがＣＳＧセルであることを識別し、更に、該セルのＣＳＧ  ＩＤと自身のＳＩＭ（Ｓｕｂｓｃｒｉｂｅｒ  Ｉｄｅｎｔｉｆｉｃａｔｉｏｎ  Ｍｏｄｕｌｅ）の中の許可ＣＳＧ  ＩＤホワイトリスト（Ｗｈｉｔｅｌｉｓｔ）と比較することにより、該ＣＳＧセルがアクセスできるか否かを判断できる。ホワイトリストに該セルのＣＳＧ  ＩＤが含まれる場合、該セルに滞留又はアクセスできるが、逆の場合、ユーザが該セルに滞留又はアクセスできない。
【０００８】
ＨｅＮＢを採用することにより家庭ユーザのデータ伝送速度を大きく向上するとともに、セル境界ユーザの性能を向上することもできる。しかし、ＨｅＮＢを導入することで、例えばセルとＨｅＮＢ間の干渉、負荷の非均衡など、他の問題が生じる可能性もある。このような問題を解決するために、３ＧＰＰ組織はリリース９バージョンにおいて、ハイブリッドアクセス方式（Ｈｙｂｒｉｄ  Ｍｏｄｅ）のＨｅＮＢ、即ちハイブリッドセル基地局を導入している。このようなハイブリッドセル基地局のアクセス権限は一般的な基地局とＣＳＧ基地局の間にあり、ＣＳＧセルと同様性能のサービスを契約ユーザに対して提供できる一方、契約ユーザに対して影響を及ぼさない前提で、制限された性能のサービスを非契約ユーザに提供することができる。上記特徴を有することにより、このようなハイブリッドセル基地局は広範に注目されている。現在、上記ＣＳＧセルアクセス標識に基づき、ハイブリッドセル基地局に対してそれに特有なアクセス方式を定義している。
【０００９】
（１）ＰＣＩは、ＰＣＩ  ｓｐｌｉｔ以外から選択する。
【００１０】
（２）ＣＳＧ指示ビットの値は、ＦＡＬＳＥ（例えば二進法の［０］）を採る。
【００１１】
（３）ＣＳＧ  ＩＤは２７ビットの情報を含み、ハイブリッドセル基地局を一義的に標識する。
【００１２】
ユーザ設備が同期チャネルと放送情報から上記の情報を取得したのであれば、これらの情報を伝送するセルはハイブリッドセルであると識別できる。
【００１３】
ハイブリッドセル基地局により一部の干渉、負荷均衡問題を解決できるが、その導入によりユーザのアクセスプロセスに対して新しい問題をもたらしている。
【００１４】
従来技術のユーザ設備初期アクセスプロセスは、図１に示されている。セルに滞留するユーザ設備がランダム的にアクセスする前に、アクセスレベル検査を通過する必要があり、アクセスレベル検査通過後、ランダム的アクセスプロセスによりセルにアクセスし、ランダム的アクセスに成功した後、デフォルトのベアラーを確立してＩＰアドレス、サービス品質（ＱｏＳ）などの協商を行なう。その後、アクセス制御プロセスとスケジューリングプロセスが行なわれる。
【００１５】
現在、ハイブリッドセル基地局は、非契約ユーザがセルに滞留することを許可する。非契約ユーザがランダム的にアクセスするときに、ハイブリッドセル基地局が契約ユーザへのサービス提供に傾くべきであるため、該アクセス要求は、アクセス制御プロセスにおいて拒否されるか、又は非契約ユーザの接続確立後に契約ユーザのサービスに影響を及ぼしたため他のセルに切り替えられる可能性が大いにある。その結果、ハイブリッドセル基地局に非契約ユーザからのアクセスが適合しない場合、非契約ユーザの初期アクセス（ｉｎｉｔｉａｌ  ａｃｃｅｓｓ）の遅延を増大し、確立済みの通信接続に影響を及ぼす一方、ランダム的アクセスを行なうための時間周波数資源とプリアンブルシーケンス資源の消耗を増大し、必要のない資源の浪費につながる。
【発明の概要】
【発明が解決しようとする課題】
【００１６】
本発明の実施例により解決しようとする技術課題は、ハイブリッドセル滞留方法、アクセスレベル検査方法及び設備を提供し、ランダム的にアクセスする前にユーザの契約特性に基づいてユーザ設備に対して区別した処理を行なうことにより、契約ユーザのサービスを優先的に保証すると共に、非契約ユーザの初期アクセス遅延を著しく軽減して非契約ユーザの初期アクセス効率を向上することを実現することである。
【課題を解決するための手段】
【００１７】
上記技術課題を解決するために、本発明の実施例によるハイブリッドセルのアクセスレベル検査方法は、以下のステップＡとステップＢとを含み、
ステップＡにおいて、ユーザ設備は、一回のアクセスレベル検査において、ハイブリッドセル基地局が放送するアクセス制限情報を取得し、前記アクセス制限情報は、前記ハイブリッドセル基地局が所定のアクセス制限条件に基づいて設定した、アクセスを制限するか否かを前記ハイブリッドセル基地局に指示するための情報であり、
ステップＢにおいて、前記ユーザ設備は、予め取得した前記ハイブリッドセルのＣＳＧ標識と、自身で保持する自ユーザ設備が所属するＣＳＧセルホワイトリストとに基づいて、自ユーザ設備が前記ハイブリッドセルの契約ユーザであるか否かを判断し、前記アクセス制限情報に基づいて、前記ハイブリッドセル基地局がアクセスを制限するか否かを判断し、
自ユーザ設備が前記契約ユーザであり、且つ前記ハイブリッドセル基地局がアクセスを制限しない場合、第１の確率で今回のアクセスレベル検査を通過し、
自ユーザ設備が前記契約ユーザであり、且つ前記ハイブリッドセル基地局がアクセスを制限する場合、第２の確率で今回のアクセスレベル検査を通過し、
自ユーザ設備が前記契約ユーザではなく、且つ前記ハイブリッドセル基地局がアクセスを制限しない場合、第３の確率で今回のアクセスレベル検査を通過し、
自ユーザ設備が前記契約ユーザではなく、且つ前記ハイブリッドセル基地局がアクセスを制限する場合、第４の確率で今回のアクセスレベル検査を通過し、
前記第２、第３の確率は共に前記第４の確率より大きく且つ前記第１の確率より小さい。
【００１８】
好ましくは、前記アクセスレベル検査方法において、
前記ステップＡにおいて、前記ユーザ設備は更に前記ハイブリッドセル基地局が放送するアクセスレベル遮断パラメータａ（０≦ａ≦１）を取得して乱数ｂ（０≦ｂ≦１）を生成し、
前記ステップＢにおいて、
自ユーザ設備が前記契約ユーザであり、且つ前記ハイブリッドセル基地局がアクセスを制限しない場合、直接今回のアクセスレベル検査を通過し、
自ユーザ設備が前記契約ユーザであり、且つ前記ハイブリッドセル基地局がアクセスを制限する場合、前記ｂが前記ａより小さいか否かに基づいて、今回のアクセスレベル検査を通過するか否かを判断し、
自ユーザ設備が前記契約ユーザではなく、且つ前記ハイブリッドセル基地局がアクセスを制限しない場合、前記ｂが前記ａより小さいか否かに基づいて、今回のアクセスレベル検査を通過するか否かを判断し、
自ユーザ設備が前記契約ユーザではなく、且つ前記ハイブリッドセル基地局がアクセスを制限する場合、今回のアクセスレベル検査の通過を拒否してアクセスレベル検査を終止し、前記ハイブリッドセル以外の他のセルを検索して前記他のセルに対してランダム的にアクセスする。
【００１９】
好ましくは、前記アクセスレベル検査方法において、前記ユーザ設備が今回のアクセスレベル検査を通過しない場合、前記アクセスレベル検査を通過し又は前記アクセスレベル検査の実行回数が所定の上限値になるまで、引き続き次のアクセスレベル検査を実行する。
【００２０】
好ましくは、前記アクセスレベル検査方法において、前記アクセス制限情報は、前記ハイブリッドセル基地局が放送するシステム情報ブロックＳＩＢ２の中の一つの自定義ビットに付随する。
【００２１】
本発明の実施例は更にユーザ設備を提供し、該ユーザ設備は、以下のパラメータ取得手段とアクセスレベル検査手段とを含み、
パラメータ取得手段は、ハイブリッドセル基地局が放送する前記ハイブリッドセル基地局のアクセス制限情報を取得し、前記アクセス制限情報は、前記ハイブリッドセル基地局が所定のアクセス制限条件に基づいて設定した、アクセスを制限するか否かを前記ハイブリッドセル基地局に指示するための情報であり、
アクセスレベル検査手段は、一回のアクセスレベル検査において、前記アクセス制限情報に基づいて、前記ハイブリッドセル基地局がアクセスを制限するか否かを判断し、予め取得した前記ハイブリッドセルのＣＳＧ標識と、自身で保持する自ユーザ設備が所属するＣＳＧセルホワイトリストとに基づいて、自ユーザ設備が前記ハイブリッドセルの契約ユーザであるか否かを判断し、
自ユーザ設備が前記契約ユーザであり、且つ前記ハイブリッドセル基地局がアクセスを制限しない場合、第１の確率で今回のアクセスレベル検査を通過し、
自ユーザ設備が前記契約ユーザであり、且つ前記ハイブリッドセル基地局がアクセスを制限する場合、第２の確率で今回のアクセスレベル検査を通過し、
自ユーザ設備が前記契約ユーザではなく、且つ前記ハイブリッドセル基地局がアクセスを制限しない場合、第３の確率で今回のアクセスレベル検査を通過し、
自ユーザ設備が前記契約ユーザではなく、且つ前記ハイブリッドセル基地局がアクセスを制限する場合、第４の確率で今回のアクセスレベル検査を通過し、
前記第２、第３の確率は共に前記第４の確率より大きく且つ前記第１の確率より小さい。
【００２２】
好ましくは、前記ユーザ設備において、
前記パラメータ取得手段は、更に前記ハイブリッドセル基地局が放送するアクセスレベル遮断パラメータａ（０≦ａ≦１）を取得して乱数ｂ（０≦ｂ≦１）を生成し、
前記アクセスレベル検査手段は、更に、
自ユーザ設備が前記契約ユーザであり、且つ前記ハイブリッドセル基地局がアクセスを制限しない場合、直接今回のアクセスレベル検査を通過し、
自ユーザ設備が前記契約ユーザであり、且つ前記ハイブリッドセル基地局がアクセスを制限する場合、前記ｂが前記ａより小さいか否かに基づいて、今回のアクセスレベル検査を通過するか否かを判断し、
自ユーザ設備が前記契約ユーザではなく、且つ前記ハイブリッドセル基地局がアクセスを制限しない場合、前記ｂが前記ａより小さいか否かに基づいて、今回のアクセスレベル検査を通過するか否かを判断し、
自ユーザ設備が前記契約ユーザではなく、且つ前記ハイブリッドセル基地局がアクセスを制限する場合、今回のアクセスレベル検査の通過を拒否してアクセスレベル検査を終止し、前記ハイブリッドセル以外の他のセルを検索して前記他のセルに対してランダム的にアクセスする。
【００２３】
本発明の実施例は更にハイブリッドセル滞留方法を提供し、
ユーザ設備は、ハイブリッドセル基地局が放送する前記ハイブリッドセル基地局のアクセス制限情報及び前記ハイブリッドセルのＣＳＧ標識を取得し、前記アクセス制限情報は、前記ハイブリッドセル基地局が所定のアクセス制限条件に基づいて設定した、アクセスを制限するか否かを前記ハイブリッドセル基地局に指示するための情報であり、
前記ユーザ設備は、前記ハイブリッドセルのＣＳＧ標識と、自身で保持する自ユーザ設備が所属するＣＳＧセルホワイトリストとに基づいて、自ユーザ設備が前記ハイブリッドセルの契約ユーザであるか否かを判断し、
契約ユーザであると判断された場合、前記ハイブリッドセルに滞留し、
契約ユーザではないと判断された場合、前記アクセス制限情報に基づいて、前記ハイブリッドセル基地局がアクセスを制限するか否かを判断し、制限すると判断された場合、前記ハイブリッドセル以外の他のセルを検索して滞留し、制限しないと判断された場合、前記ハイブリッドセルに滞留する。
【００２４】
好ましくは、上記滞留方法において、前記ハイブリッドセル基地局がアクセスを制限することを前記アクセス制限情報に基づいて判断された後、前記ユーザ設備は、前記ハイブリッドセル以外に滞留可能なセルを検索できなかった場合、前記ハイブリッドセルに滞留する。
【００２５】
好ましくは、上記滞留方法において、前記アクセス制限情報は、前記ハイブリッドセル基地局が放送するシステム情報ブロックＳＩＢ１の中のＣＳＧ指示ビットに付随するか、前記ＳＩＢ１の中の一つの自定義ビットに付随する。
【００２６】
本発明の実施例は更に別のユーザ設備を提供し、該ユーザ設備において、以下の受信手段と滞留処理手段とを含み、
受信手段は、ハイブリッドセル基地局が放送する前記ハイブリッドセル基地局のアクセス制限情報及びハイブリッドセルのＣＳＧ標識を取得し、前記アクセス制限情報は、前記ハイブリッドセル基地局が所定のアクセス制限条件に基づいて設定した、アクセスを制限するか否かを前記ハイブリッドセル基地局に指示するための情報であり、
滞留処理手段は、前記ハイブリッドセルのＣＳＧ標識と、自身で保持する自ユーザ設備が所属するＣＳＧセルホワイトリストとに基づいて、自ユーザ設備が前記ハイブリッドセルの契約ユーザであるか否かを判断し、
契約ユーザであると判断された場合、前記ハイブリッドセルに滞留し、
契約ユーザではないと判断された場合、前記アクセス制限情報に基づいて、前記ハイブリッドセル基地局がアクセスを制限するか否かを判断し、制限すると判断された場合、前記ハイブリッドセル以外の他のセルを検索して滞留し、制限しないと判断された場合、前記ハイブリッドセルに滞留する。
【００２７】
好ましくは、前記ユーザ設備において、前記滞留処理手段は、前記ハイブリッドセル基地局がアクセスを制限することを前記アクセス制限情報に基づいて判断された後、前記ユーザ設備が、前記ハイブリッドセル以外に滞留可能なセルを検索できなかった場合、前記ハイブリッドセルに滞留するように用いられる。
【００２８】
本発明の実施例は更にハイブリッドセル基地局を提供し、該ハイブリッドセル基地局において、以下のアクセス制限情報設定手段と放送手段とを含み、
アクセス制限情報設定手段は、所定のアクセス制限情報に基づいて、アクセスを制限するか否かを前記ハイブリッドセル基地局に指示するためのアクセス制限情報を設定し、
放送手段は、前記アクセス制限情報とハイブリッドセルのＣＳＧ標識を放送し、
前記アクセス制限情報とハイブリッドセルのＣＳＧ標識は、前記ハイブリッドセル基地局がアクセスを制限するか否かの判断、及び前記ユーザ設備が前記ハイブリッドセルの契約ユーザであるかの判断を行なうようユーザ設備に供するものであり、前記ユーザ設備が前記契約ユーザである場合、前記ハイブリッドセルに滞留し、前記ユーザ設備が前記契約ユーザではなく、且つ前記ハイブリッドセル基地局がアクセスを制限する場合、前記ハイブリッドセル以外の他のセルを検索して滞留し、前記ユーザ設備が前記契約ユーザではなく、且つ前記ハイブリッドセル基地局がアクセスを制限しない場合、前記ハイブリッドセルに滞留する。
【００２９】
好ましくは、前記ハイブリッドセル基地局において、
前記放送手段は、システム情報ブロックＳＩＢ１の中のＣＳＧ指示ビット、又は前記ＳＩＢ１の中の一つの自定義ビットに前記アクセス制限情報を付随させる。
【発明の効果】
【００３０】
上記記載から分かるように、本発明によるハイブリッドセル滞留方法、アクセスレベル検査方法及び設備は、ユーザ設備の契約特性に基づいて、ユーザ設備の滞留権限及びアクセスレベル検査の通過確率を調整することにより、契約ユーザのサービスを優先的に保証している。また、本発明は、ハイブリッドセル基地局がアクセスを制限する場合、非契約ユーザのユーザ設備が他のセルに滞留すること、又は上記ハイブリッドセル基地局に対してアクセスレベル検査を行なう時に他のセルに対してランダム的にアクセスするように変更することにより、非契約ユーザの初期アクセス遅延を軽減して非契約ユーザの初期アクセス効率を向上しており、ネットワーク資源及びユーザ設備の電気エネルギーの節約も実現している。
【図面の簡単な説明】
【００３１】
【図１】図１は、従来技術におけるユーザ設備の初期アクセスのフローを示す図面である。
【図２】図２は、本発明の実施例によるハイブリッドセル滞留方法のフローを示す図面である。
【図３】図３は、本発明の実施例によるユーザ設備の構造を示す図面である。
【図４】図４は、本発明の実施例によるハイブリッドセル基地局の構造を示す図面である。
【図５】図５は、本発明の実施例によるハイブリッドセルのアクセスレベル検査方法のフローを示す図面である。
【図６】図６は、本発明の別の実施例によるユーザ設備の構造を示す図面である。
【発明を実施するための形態】
【００３２】
ハイブリッドセル基地局には、契約ユーザと非契約ユーザの二種類のユーザがアクセス可能である。該二種類のユーザに対して、異なったアクセス制御ポリシで扱うべきである。アクセス制御ポリシは、滞留、アクセスレベル検査、ランダム的アクセス及びアクセス制御などのプロセスに関わるが、滞留権限により、ユーザがハイブリッドセルに滞留可能か否かを決定され、アクセスレベル検査により、ユーザが滞留状態からランダム的アクセスプロセスに遷移する成功確率を決定される。従来技術では、アクセス制御段階においてのみ契約ユーザと非契約ユーザの区別をするため、非契約ユーザが複数回のアクセスレベル検査とランダム的アクセスの時間を無意義に消耗し、非契約ユーザをその接続確立後に他のセルに切り替えてしまう可能性がある。この問題を解決するために、本発明はハイブリッドセル基地局に対してより先進的で、より柔軟な滞留、アクセスレベル検査方法を提案しており、二種類のユーザに対して、区別されたアクセス制御をよりよく処理することができ、非契約ユーザのアクセス遅延を減らして資源の損耗を軽減することができる。以下、図面を参照しながら、具体的な実施例を通じて本発明を詳しく説明する。
【００３３】
＜実施例１＞
本実施例によるハイブリッドセルのアクセスレベル検査方法について、次のステップを含む。
【００３４】
ステップ４１において、上記ユーザ設備は、一回のアクセスレベル検査において、ハイブリッドセル基地局が放送するアクセス制限情報を取得する。上記アクセス制限情報は、上記ハイブリッドセル基地局が所定のアクセス制限条件に基づいて設定した、アクセスを制限するか否かを上記ハイブリッドセル基地局に指示するための情報である。
【００３５】
ここで、所定のアクセス制限条件は、具体的な応用環境に応じて設定できる。例えば、下記条件のうちの一つか複数を含むことができる。
【００３６】
（１）ハイブリッドセル基地局の現在の負荷状態。例えば、現在の負荷が所定の閾値を超えると、上記ハイブリッドセル基地局はアクセスを制限する。現在の負荷が上記所定の閾値を超えていない場合、上記ハイブリッドセル基地局はアクセスを制限しない。
【００３７】
（２）非契約ユーザによる上記ハイブリッドセルへの上り干渉。例えば、上記上り干渉がある所定の値を越えると、上記ハイブリッドセル基地局はアクセスを制限しない。逆の場合、上記ハイブリッドセル基地局はアクセスを制限し、それにより、非契約ユーザによる上記ハイブリッドセルへの干渉が軽減される。
【００３８】
（３）プロバイダーや上記ハイブリッドセル基地局の所有者は、アクセスを制限するかしないかを上記ハイブリッドセル基地局に要求するか否かを設定できる。
【００３９】
ここで、上記ハイブリッドセル基地局は、上記アクセス制限情報を放送情報のうちのＳＩＢ２の中の一つの自定義ビット（例えばＡｃＢａｒｒｉｎｇ  ｆｌａｇ）に付随させることができる。上記アクセス制限情報は、アクセスを制限するか否かを上記ハイブリッドセル基地局に指示するための情報であるため、一つのビットしか必要としない。例えば、上記ハイブリッドセル基地局はアクセスを制限する場合、該ビットはＴＲＵＥ（例えば二進法の「１」）を採るが、上記ハイブリッドセル基地局はアクセスを制限しない場合、該ビットはＦＡＬＳＥ（例えば二進法の「０」）を採る。上記ユーザ設備は、上記ハイブリッドセル基地局の放送情報を受信し、その中から上記アクセス制限情報を取得する。
【００４０】
ステップ４２において、上記ユーザ設備は、予め取得した上記ハイブリッドセルのＣＳＧ標識と、自身で保持する自ユーザ設備が所属するＣＳＧセルホワイトリストとに基づいて、自ユーザ設備が上記ハイブリッドセルの契約ユーザであるか否かを判断し、上記アクセス制限情報に基づいて、上記ハイブリッドセル基地局がアクセスを制限するか否かを判断する。
【００４１】
自ユーザ設備が上記契約ユーザであり、且つ上記ハイブリッドセル基地局がアクセスを制限しない場合、第１の確率で今回のアクセスレベル検査を通過する。
【００４２】
自ユーザ設備が上記契約ユーザであり、且つ上記ハイブリッドセル基地局がアクセスを制限する場合、第２の確率で今回のアクセスレベル検査を通過する。
【００４３】
自ユーザ設備が上記契約ユーザではなく、且つ上記ハイブリッドセル基地局がアクセスを制限しない場合、第３の確率で今回のアクセスレベル検査を通過する。
【００４４】
自ユーザ設備が上記契約ユーザではなく、且つ上記ハイブリッドセル基地局がアクセスを制限する場合、第４の確率で今回のアクセスレベル検査を通過する。
【００４５】
上記第２、第３の確率は共に上記第４の確率より大きく且つ上記第１の確率より小さい。
【００４６】
ここで、上記ユーザ設備が今回のアクセスレベル検査を通過しない場合、上記アクセスレベル検査を通過し又は上記アクセスレベル検査の実行回数が所定の上限値になるまで、引き続き次のアクセスレベル検査を実行する。
【００４７】
上記ステップにおいて、第１の確率で今回のアクセスレベル検査を通過する。詳しくは、ユーザ設備は、０以上且つ１以下の乱数をランダム的に生成し、該乱数を第１の確率と比較し、該乱数が第１の確率より小さい場合、今回のアクセスレベル検査を通過するが、逆の場合、今回のアクセスレベル検査を通過しない。同じように、第２、３、４の確率で今回のアクセスレベル検査を通過する場合についても、該乱数がそれぞれの検査に対応する第２、３、４の確率より小さいか否かを判断し、小さい場合、今回のアクセスレベル検査を通過するが、逆の場合、今回のアクセスレベル検査を通過しない。
【００４８】
本実施例は、ユーザ設備が契約ユーザであるか否か、ハイブリッドセル基地局のアクセス制限状況に基づいて、アクセスレベル検査を通過する確率を設定し、契約ユーザには非契約ユーザより高いアクセスレベル検査通過確率を有することを保証し、同一ユーザ設備がアクセスレベル検査を通過する確率についてもハイブリッドセル基地局のアクセス制限状態に対応し、アクセスが制限される場合、アクセスレベル検査の通過確率を低くすることにより、ハイブリッドセル基地局の処理負荷を軽減している。
【００４９】
以下、図５を参照しながら、より詳しい実施方案を通じて本実施例の上記フローを更に説明する。
【００５０】
ステップ４０１において、ハイブリッドセルに滞留するユーザ設備は、ハイブリッドセル基地局から放送されたハイブリッドセルのＣＳＧ標識とアクセスレベル検査関連情報を受信して保存する。上記アクセスレベル検査関連情報はＳＩＢ２に付随し、ハイブリッドセル基地局のアクセス制限情報、ＡｃＢａｒｒｉｎｇ  Ｔｉｍｅ及びアクセスレベル遮断パラメータａ等を含む。ここで、ユーザ設備はハイブリッドセル基地局からの上記パラメータの受信を継続し、ローカルで保存する対応な数値を更新する。
【００５１】
ステップ４０２において、ユーザ設備はランダム的にアクセスする前に、アクセスレベル検査を行なう。一回のアクセスレベル検査において、ユーザ設備は、ステップ４０１において保存したアクセスレベル検査関連情報を読み取り、その中のＡｃＢａｒｒｉｎｇ  ＴｉｍｅからＴ３０３カウンタ値を計算し、Ｔ３０３カウンタによるカウントを開始し上記Ｔ３０３カウンタ値から逓減してカウントする。
【００５２】
ステップ４０３において、ユーザ設備はＴ３０３カウンタが満了するか否かを判断する。例えば、カウント値が０であるか否かを判断する。そうである場合、ステップ４０４へ進むが、逆の場合、ステップ４０３に戻り、引き続きＴ３０３カウンタが満了するか否かを判断する。ここで、ユーザ設備が頻繁にランダム的にアクセスすることを回避できるようにＴ３０３カウンタを設定する。
【００５３】
ステップ４０４において、ユーザ設備は、［０，１］範囲内の乱数ｂを生成する。
【００５４】
ステップ４０５において、ユーザ設備は、上記ハイブリッドセルのＣＳＧ標識と、自ユーザ設備が所属するＣＳＧセルホワイトリストとに基づいて、自ユーザ設備が上記ハイブリッドセルの契約ユーザであるか否かを判断する。契約ユーザである場合、ステップ４０６へ進むが、逆の場合、ステップ４０９へ進む。
【００５５】
ステップ４０６において、ユーザ設備は、上記ハイブリッドセル基地局のアクセス制限情報に基づいて、上記ハイブリッドセル基地局がアクセスを制限するか否かを判断する。制限する場合、ステップ４０８へ進むが、逆の場合、ステップ４０９へ進む。
【００５６】
ステップ４０７において、ユーザ設備は、上記ハイブリッドセル基地局のアクセス制限情報に基づいて、上記ハイブリッドセル基地局がアクセスを制限するか否かを判断する。制限する場合、ステップ４１０へ進むが、逆の場合、ステップ４０８へ進む。
【００５７】
ステップ４０８において、ユーザ設備は、乱数ｂとアクセスレベル遮断パラメータａとを比較し、ｂがａより小さいか否かを判断する。小さい場合、ステップ４０９へ進むが、逆の場合、ステップ４１１へ進む。
【００５８】
ここで、ｂがユーザ設備により生成された［０，１］範囲内の乱数であるため、ｂがａより小さくなる確率はａであるので、ステップ４０８においてユーザ設備が今回のアクセスレベル検査を通過する確率はａである。
【００５９】
ステップ４０９において、アクセスレベル検査を通過して、後続のランダム的アクセスプロセスに進む。
【００６０】
ステップ４１０において、ユーザ設備が今回のアクセスレベル検査を通過することを直接拒否し、即ちユーザ設備が今回のアクセスレベル検査を通過する確率は０となる。アクセスレベル検査プロセスを終了し、自ハイブリッドセル以外にＳＮＲのよい他のセルを検索し、セル再選択を通じて他のセルに滞留し、他のセルにおいて引き続きランダム的にアクセスする。
【００６１】
ステップ４１１において、ユーザ設備は、現在に生成された乱数ｂとＡｃＢａｒｒｉｎｇ  Ｔｉｍｅに基づいて改めてＴ３０３カウンタ値を計算し、Ｔ３０３カウンタを再開してステップ４０３に戻る。
【００６２】
上記実施形態において、自ユーザ設備が上記契約ユーザであり、且つ上記ハイブリッドセル基地局がアクセスを制限しない場合、直接今回のアクセスレベル検査を通過し、自ユーザ設備が上記契約ユーザであり、且つ上記ハイブリッドセル基地局がアクセスを制限する場合、上記ｂが上記ａより小さいか否かに基づいて、今回のアクセスレベル検査を通過するか否かを判断する。同様に、自ユーザ設備が上記契約ユーザではなく、且つ上記ハイブリッドセル基地局がアクセスを制限しない場合、上記ｂが上記ａより小さいか否かに基づいて、今回のアクセスレベル検査を通過するか否かを判断し、自ユーザ設備が上記契約ユーザではなく、且つ上記ハイブリッドセル基地局がアクセスを制限する場合、今回のアクセスレベル検査の通過を拒否してアクセスレベル検査を終止し、上記ハイブリッドセル以外の他のセルを検索して上記他のセルに対してランダム的にアクセスする。
【００６３】
上記記載から分かるように、上記実施形態において、非契約ユーザはアクセスが制限されたハイブリッドセル基地局に滞留できるが、ユーザ設備がランダム的にアクセスするときにおいてのみアクセスレベル検査結果に基づいて、該ユーザ設備が他の基地局を選択して接続するか否か決定される。ハイブリッドセル基地局にアクセスが制限される場合、上記ハイブリッドセル基地局のアクセスレベル検査を終了させ、直接に他の基地局と接続を確立する。ユーザ設備が複数回のアクセスレベル検査を経て最終的にアクセスレベル検査を通過したが後続のアクセス制御プロセスにおいてハイブリッドセル基地局により拒否されて他の基地局にアクセスすることとなった場合に対して、本実施例によれば、非契約ユーザの初期アクセス遅延を軽減して非契約ユーザの初期アクセス効率を向上でき、ユーザ設備の電気エネルギーの節約も実現できる。
【００６４】
上記アクセスレベル検査方法に基づいて、本実施例は、上記アクセスレベル検査方法を実施するためのユーザ設備を更に提供する。
【００６５】
図６に示すように、該ユーザ設備は、パラメータ取得手段とアクセスレベル検査手段とを含む。
【００６６】
パラメータ取得手段は、ハイブリッドセル基地局が放送する上記ハイブリッドセル基地局のアクセス制限情報を取得する。上記アクセス制限情報は、上記ハイブリッドセル基地局が所定のアクセス制限条件に基づいて設定した、アクセスを制限するか否かを上記ハイブリッドセル基地局に指示するための情報である。
【００６７】
アクセスレベル検査手段は、一回のアクセスレベル検査において、上記アクセス制限情報に基づいて、上記ハイブリッドセル基地局がアクセスを制限するか否かを判断し、予め取得した上記ハイブリッドセルのＣＳＧ標識と、自身で保持する自ユーザ設備が所属するＣＳＧセルホワイトリストとに基づいて、自ユーザ設備が上記ハイブリッドセルの契約ユーザであるか否かを判断する。
【００６８】
自ユーザ設備が上記契約ユーザであり、且つ上記ハイブリッドセル基地局がアクセスを制限しない場合、第１の確率で今回のアクセスレベル検査を通過する。
【００６９】
自ユーザ設備が上記契約ユーザであり、且つ上記ハイブリッドセル基地局がアクセスを制限する場合、第２の確率で今回のアクセスレベル検査を通過する。
【００７０】
自ユーザ設備が上記契約ユーザではなく、且つ上記ハイブリッドセル基地局がアクセスを制限しない場合、第３の確率で今回のアクセスレベル検査を通過する。
【００７１】
自ユーザ設備が上記契約ユーザではなく、且つ上記ハイブリッドセル基地局がアクセスを制限する場合、第４の確率で今回のアクセスレベル検査を通過する。
【００７２】
上記第２、第３の確率は共に上記第４の確率より大きく且つ上記第１の確率より小さい。
【００７３】
好ましくは、上記ユーザ設備の上記パラメータ取得手段は、更に上記ハイブリッドセル基地局が放送するアクセスレベル遮断パラメータａ（０≦ａ≦１）を取得して乱数ｂ（０≦ｂ≦１）を生成する。
【００７４】
上記アクセスレベル検査手段は、更に、自ユーザ設備が上記契約ユーザであり、且つ上記ハイブリッドセル基地局がアクセスを制限しない場合、直接今回のアクセスレベル検査を通過し、自ユーザ設備が上記契約ユーザであり、且つ上記ハイブリッドセル基地局がアクセスを制限する場合、上記ｂが上記ａより小さいか否かに基づいて、今回のアクセスレベル検査を通過するか否かを判断し、自ユーザ設備が上記契約ユーザではなく、且つ上記ハイブリッドセル基地局がアクセスを制限しない場合、上記ｂが上記ａより小さいか否かに基づいて、今回のアクセスレベル検査を通過するか否かを判断し、自ユーザ設備が上記契約ユーザではなく、且つ上記ハイブリッドセル基地局がアクセスを制限する場合、今回のアクセスレベル検査の通過を拒否してアクセスレベル検査を終止し、上記ハイブリッドセル以外の他のセルを検索して上記他のセルに対してランダム的にアクセスする。
【００７５】
＜実施例２＞
図２に示すように、本実施例によるハイブリッドセル滞留方法は、次のステップを含む。
【００７６】
ステップ２１において、ハイブリッドセル基地局は、所定のアクセス制限条件に基づいて、アクセスを制限するか否かを上記ハイブリッドセル基地局に指示するためのアクセス制限情報を設定し、上記アクセス制限情報とハイブリッドセルのＣＳＧ標識を放送する。
【００７７】
ここで、所定のアクセス制限条件は、具体的な応用環境に応じて設定できる。例えば、下記条件のうちの一つか複数を含むことができる。
【００７８】
（１）ハイブリッドセル基地局の現在の負荷状態。例えば、現在の負荷が所定の閾値を超えると、上記ハイブリッドセル基地局はアクセスを制限する。現在の負荷が上記所定の閾値を超えていない場合、上記ハイブリッドセル基地局はアクセスを制限しない。
【００７９】
（２）非契約ユーザによる上記ハイブリッドセルへの上り干渉。例えば、上記上り干渉がある所定の値を越えると、上記ハイブリッドセル基地局はアクセスを制限しない。逆の場合、上記ハイブリッドセル基地局はアクセスを制限し、それにより、非契約ユーザによる上記ハイブリッドセルへの干渉が軽減される。
【００８０】
（３）プロバイダーや上記ハイブリッドセル基地局の所有者は、アクセスを制限するかしないかを上記ハイブリッドセル基地局に要求するか否かを設定できる。
【００８１】
ここで、ハイブリッドセル基地局は、上記アクセス制限情報を、放送情報のうちのＳＩＢ１のＣＳＧ指示ビット、又は上記ＳＩＢ１の中の一つの自定義ビット（例えばＮｏｎ−ＣＳＧ  ｌｉｍｉｔａｔｉｏｎ）に付随させることができる。上記アクセス制限情報は、アクセスを制限するか否かを上記ハイブリッドセル基地局に指示するための情報であるため、一つのビットしか必要としない。例えば、上記ハイブリッドセル基地局はアクセスを制限する場合、該ビットはＴＲＵＥ（例えば二進法の「１」）を採るが、上記ハイブリッドセル基地局はアクセスを制限しない場合、該ビットはＦＡＬＳＥ（例えば二進法の「０」）を採る。
【００８２】
ステップ２２において、ユーザ設備は、上記ハイブリッドセル基地局から放送された上記ハイブリッドセル基地局のアクセス制限情報とハイブリッドセルのＣＳＧ標識を受信する。
【００８３】
ここで、上記ユーザ設備は、サイレンス状態にあり上記ハイブリッドセルのカバレッジ内に移動し、それにより再選択がセル内に行なわれるようになりセルに滞留するものであってもよい。上記ユーザ設備は、元々上記ハイブリッドセルのカバレッジ内にあり、滞留プロセスを行なうことによりセルに滞留するユーザ設備であってもよい。ユーザ設備はセルに滞留するときに、いずれもセルから放送されたＳＩＢ１情報を受信して読み取る必要がある。
【００８４】
ステップ２３において、上記ユーザ設備は、上記ハイブリッドセルのＣＳＧ標識と、自身で保持する自ユーザ設備が所属するＣＳＧセルホワイトリストとに基づいて、自ユーザ設備が上記ハイブリッドセルの契約ユーザであるか否かを判断する。契約ユーザであると判断された場合、ステップ２４へ進むが、逆の場合、ステップ２５へ進む。
【００８５】
ここで、ユーザ設備は、自ユーザ設備が所属するＣＳＧセルホワイトリストを自身のＳＩＭカードに保存できる。上記ユーザ設備が所属するＣＳＧセルホワイトリストには上記ハイブリッドセルのＣＳＧ標識が含まれている場合、自ユーザ設備が上記ハイブリッドセルの契約ユーザであると判断し、逆の場合、自ユーザ設備が上記ハイブリッドセルの契約ユーザではないと判断する（即ち自ユーザ設備が上記ハイブリッドセルの非契約ユーザであると判断する）。
【００８６】
ステップ２４において、上記ユーザ設備は、従来の滞留プロセスに従い、直接上記ハイブリッドセルに滞留する。
【００８７】
ステップ２５において、上記ユーザ設備は、上記アクセス制限情報に基づいて、上記ハイブリッドセル基地局がアクセスを制限するか否かを判断する。制限する場合、ステップ２６へ進むが、逆の場合、ステップ２７へ進む。
【００８８】
ステップ２６において、上記ハイブリッドセル以外のほかのセルを検索して滞留する。
【００８９】
ステップ２７において、上記ハイブリッドセルに滞留し、ステップ２１に戻り上記フローを繰り返し、非契約ユーザがハイブリッドセルのアクセス制限情報の変化に応じて滞留するセルを選択できるようにする。
【００９０】
ここで、ステップ２５において、上記アクセス制限情報に基づいて、上記ハイブリッドセル基地局がアクセスを制限することを判断された後、上記ユーザ設備は、上記ハイブリッドセル以外に滞留可能なセルを検索できなかった場合、上記ハイブリッドセルに滞留でき、ステップ２１に戻る。
【００９１】
本実施例によるハイブリッドセル滞留方法は、ユーザ設備が該ハイブリッドセルに滞留したい場合、セルから放送されたＳＩＢ１情報を読み取ることにより、契約ユーザであるか否かを判断する。契約ユーザである場合、直接該ハイブリッドセルに滞留する。逆の場合、ハイブリッドセル基地局のアクセス制限情報に基づいて、他のセルを検索して滞留するか否かを決定する必要がある。本実施例は、非契約ユーザのセル滞留に対して、ハイブリッドセル基地局のアクセス制限についての考慮が追加されている。ハイブリッドセル基地局がアクセスを制限する場合、非契約ユーザの滞留を減らし、より多くの資源を節約して契約ユーザに提供し、契約ユーザが元々取得すべきハイブリッドセル基地局の優先使用権を取得できるようにする。また、本実施例は、ハイブリッドセル基地局においてアクセスを制限し（例えばハイブリッドセル基地局が高負荷状態にあるとき）、非契約ユーザの滞留を拒否し、非契約ユーザに対して他のセルを検索して滞留するように促し、非契約ユーザがその後ランダム的にアクセスすることにより時間周波数資源とプリアンブルシーケンス資源を浪費することを回避でき、非契約ユーザの初期アクセスにおける遅延を軽減できる。その理由とし、非契約ユーザがアクセスが制限されたハイブリッドセル基地局に滞留する場合、後続の非契約ユーザによるランダム的アクセス要求がアクセス制御プロセスにおいて拒否される可能性が大いにあるため、非契約ユーザが複数回にわたってランダム的アクセスを繰り返し非契約ユーザの初期アクセスの遅延が長くなったと同時に、ランダム的アクセスプロセスにおいて使われる時間周波数資源とプリアンブルシーケンス資源を浪費することとなる。
【００９２】
上記滞留方法に基づいて、本実施例は対応的にユーザ設備、ハイブリッドセル基地局を提供する。
【００９３】
図３に示すように、本実施例によるユーザ設備は受信手段と滞留処理手段とを含む。
【００９４】
受信手段は、ハイブリッドセル基地局が放送する上記ハイブリッドセル基地局のアクセス制限情報及びハイブリッドセルのＣＳＧ標識を取得する。上記アクセス制限情報は、上記ハイブリッドセル基地局が所定のアクセス制限条件に基づいて設定した、アクセスを制限するか否かを上記ハイブリッドセル基地局に指示するための情報である。
【００９５】
滞留処理手段は、上記ハイブリッドセルのＣＳＧ標識と、自身で保持する自ユーザ設備が所属するＣＳＧセルホワイトリストとに基づいて、自ユーザ設備が上記ハイブリッドセルの契約ユーザであるか否かを判断する。契約ユーザであると判断された場合、上記ハイブリッドセルに滞留する。契約ユーザであると判断されない場合、上記アクセス制限情報に基づいて、上記ハイブリッドセル基地局がアクセスを制限するか否かを判断する。制限すると判断された場合、上記ハイブリッドセル以外の他のセルを検索して滞留し、制限すると判断されない場合、上記ハイブリッドセルに滞留する。
【００９６】
好ましくは、上記滞留処理手段は、上記ハイブリッドセル基地局がアクセスを制限することを上記アクセス制限情報に基づいて判断された後、上記ユーザ設備が、上記ハイブリッドセル以外に滞留可能なセルを検索できなかった場合、上記ハイブリッドセルに滞留するように用いる。
【００９７】
本実施例によるハイブリッドセル基地局は、図４に示すように、アクセス制限情報設定手段と放送手段とを含む。
【００９８】
アクセス制限情報設定手段は、所定のアクセス制限情報に基づいて、アクセスを制限するか否かを上記ハイブリッドセル基地局に指示するためのアクセス制限情報を設定する。
【００９９】
放送手段は、上記アクセス制限情報とハイブリッドセルのＣＳＧ標識を放送する。
【０１００】
上記アクセス制限情報とハイブリッドセルのＣＳＧ標識は、上記ハイブリッドセル基地局がアクセスを制限するか否かの判断、及び上記ユーザ設備が上記ハイブリッドセルの契約ユーザであるかの判断を行なうようユーザ設備に供するものである。上記ユーザ設備が上記契約ユーザである場合、上記ハイブリッドセルに滞留する。上記ユーザ設備が上記契約ユーザではなく、且つ上記ハイブリッドセル基地局がアクセスを制限する場合、上記ハイブリッドセル以外の他のセルを検索して滞留する。上記ユーザ設備が上記契約ユーザではなく、且つ上記ハイブリッドセル基地局がアクセスを制限しない場合、上記ハイブリッドセルに滞留する。
【０１０１】
好ましくは、上記上記放送手段は、システム情報ブロックＳＩＢ１の中のＣＳＧ指示ビット、又は上記ＳＩＢ１の中の一つの自定義ビットに上記アクセス制限情報を付随させる。
【０１０２】
上記記載から分かるように、本発明によるハイブリッドセル滞留方法、アクセスレベル検査方法、ユーザ設備及びハイブリッドセル基地局は、ユーザの契約特性に基づいて、滞留権限及びアクセスレベル検査のアクセスポリシを適応に調整することにより、非契約ユーザによる無意義の接続試みを回避し、非契約ユーザの初期アクセス遅延を軽減しており、ネットワーク資源の節約も実現している。
【図１】
2011041281.tif 000003
【図２】
2011041281.tif 000004
【図３】
2011041281.tif 000005
【図４】
2011041281.tif 000006
【図５】
2011041281.tif 000007
【図６】
2011041281.tif 000008